(57)【要約】【課題】本発明は、電気コネクタを電源コネクタに素早く、且つ容易に挿入することができる放熱装置を提供することを目的とする。【解決手段】本発明に係る放熱装置は、電子素子から放熱し、且つ電線及び前記電線の一端に接続されている電気コネクタを備え、電気コネクタは電子装置の電気供給ユニットの電源コネクタと電気接続される。放熱装置には、さらに、電源コネクタに位置合わせされる係合部材が設置されており、電気コネクタは係合部材に係合され、且つ係合部材に係合されている電気コネクタは電源コネクタと位置合わせされる。【選択図】図１
2013016810.tif 000002
【特許請求の範囲】
【請求項１】
電子素子から放熱し、且つ電線及び前記電線の一端に接続されている電気コネクタを備え、前記電気コネクタが電子装置の電気供給ユニットの電源コネクタと電気接続される放熱装置において、
前記放熱装置には、さらに、前記電源コネクタに位置合わせされる係合部材が設置され、前記電気コネクタは前記係合部材に係合され、且つ前記係合部材に係合されている前記電気コネクタは前記電源コネクタと位置合わせされることを特徴とする放熱装置。
【請求項２】
前記放熱装置は、ヒートシンク及び前記ヒートシンクに対応して設置されたファンユニットをさらに備え、前記ヒートシンクは前記電子素子に連結されて、前記電子素子が発生した熱を吸収し、前記ファンユニットは空気流を生成して前記ヒートシンクが吸収した熱を放熱させ、前記係合部材は、前記ファンユニットに設置されていることを特徴とする請求項１に記載の放熱装置。
【請求項３】
前記ヒートシンクは一体に形成され、且つ複数のネジによって電子装置のハウジングに固定されることを特徴とする請求項２に記載の放熱装置。
【請求項４】
前記放熱装置は、前記ネジを前記ヒートシンクに固定させる固定部材をさらに備えることを特徴とする請求項３に記載の放熱装置。
【請求項５】
前記係合部材は本体を備え、該本体の前記電源コネクタに対向する一側面には、窪んで形成され且つ前記電気コネクタを係合する収容部が設けられ、前記収容部に係合された電気コネクタは、前記電源コネクタと位置合わせされることを特徴とする請求項２から４のいずれか一項に記載の放熱装置。
【請求項６】
前記本体には、前記電気コネクタを貫通させるための貫通孔が設けられていることを特徴とする請求項５に記載の放熱装置。
【請求項７】
前記電気コネクタは、２つの弾性部を備え、前記収容部は、前記２つの弾性部に対応する２つの側壁を含み、各々の該側壁には、対向する側壁から離れる方向へ窪んで形成された凹部がそれぞれ設けられており、前記２つの弾性部は、前記２つの凹部にそれぞれ収容され、且つ凹部の当接壁に当接されて、前記電気コネクタが前記本体から脱離することを規制することを特徴とする請求項６に記載の放熱装置。
【請求項８】
前記ファンユニットは、ケースを備え、前記係合部材は、前記ケースから延伸して形成されることを特徴とする請求項５から７のいずれか一項に記載の放熱装置。
【発明の詳細な説明】
【技術分野】
【０００１】
本発明は、放熱装置に関し、特に電子装置に用いられる放熱装置に関するものである。
【背景技術】
【０００２】
ノートパソコンのような電子装置には、通常放熱装置が設置され、該放熱装置はファンユニット及びヒートシンクを備える。この放熱装置の組み立て過程において、ファンユニットの電線を電気コネクタに電気接続した後、該電気コネクタを電子装置の電気供給ユニットの電源コネクタに電気接続する。これにより、前記電気供給ユニットは、前記電気コネクタと前記電源コネクタとの電気接続によって、ファンユニットをはじめとする放熱装置全体に電気を供給する。従来の放熱装置において、電気コネクタを電源コネクタに電気接続する際、先ず、前記電気コネクタと前記電源コネクタとを位置合わせした後、前記電気コネクタを前記電源コネクタに挿入する。しかし、前記電気コネクタ及び前記電源コネクタの体積は小さいため、互いに位置合わせしにくく、素早く、且つ容易に挿入することができない。従って、放熱装置の組み立て効率が低い。
【発明の概要】
【発明が解決しようとする課題】
【０００３】
以上の問題点に鑑みて、本発明は、電気コネクタを電源コネクタに素早く、且つ容易に挿入することができる放熱装置を提供することを目的とする。
【課題を解決するための手段】
【０００４】
前記課題を解決するために、本発明に係る放熱装置は、電子素子から放熱し、且つ電線及び前記電線の一端に接続されている電気コネクタを備え、前記電気コネクタは電子装置の電気供給ユニットの電源コネクタと電気接続される。前記放熱装置には、さらに、前記電源コネクタに位置合わせされる係合部材が設置されており、前記電気コネクタは前記係合部材に係合され、且つ前記係合部材に係合された前記電気コネクタは前記電源コネクタと位置合わせされる。
【発明の効果】
【０００５】
本発明において、電気コネクタを係合する係合部材を設置することによって、前記電気コネクタは、放熱装置がハウジングに装着されると、電源コネクタと位置合わせされる。これにより、該電気コネクタは前記電源コネクタに容易に接続することができるので、電子装置の組み立て効率は向上される。また、本発明におけるヒートシンクは一体に形成され、且つ複数の固定部材によって複数のネジが前記ヒートシンクに固定されるので、前記ヒートシンクを装着する際、前記ヒートシンクを前記ハウジングに位置決めして、前記複数のネジと前記ハウジングに設けられている複数のネジ孔との位置合わせ後、自動設備によって前記複数のネジと前記ネジ孔とを螺合させるだけで良い。従って、組み立てが早く、且つ容易である。
【図面の簡単な説明】
【０００６】
【図１】本発明の実施形態に係る電子装置の、放熱装置が設置されている部位を示す図である。
【図２】図１に示した放熱装置の構造を示す図である。
【図３】図２に示したＩＩＩ部分の拡大図である。
【図４】図２に示した放熱装置の一部の分解図である。
【図５】図４に示した放熱装置の一部を別の視点から見た分解図である。
【発明を実施するための形態】
【０００７】
以下、図面に基づいて、本発明に係る放熱装置について詳細に説明する。
【０００８】
図１に示したように、本発明に係る電子装置１０は、ハウジング１００と、前記ハウジング１００内に装着された放熱装置４００及び電源コネクタ５００と、を備える。前記放熱装置４００は、前記電子装置１０の電子素子から放熱を行い、前記電源コネクタ５００は、前記電子装置１０の電気供給モジュールのコネクタに電気接続される。本実施形態において、前記電子装置１０は、ノートパソコンであり、前記放熱装置４００は、該ノートパソコン内に設置されているＣＰＵ（中央処理装置）２００及びディスプレイカード３００から放熱を行う。他の実施形態において、前記放熱装置４００は、他の電子素子から放熱を行うこともできる。
【０００９】
図２に示したように、前記放熱装置４００は、ヒートシンク４１０及びファンユニット４１２を備える。前記ヒートシンク４１０は、２つのヒートパイプ４１４及び複数の放熱フィン（図示せず）を備える。２つのヒートパイプ４１４は、前記ＣＰＵ２００及び前記ディスプレイカード３００にそれぞれ連接され、前記ＣＰＵ２００及び前記ディスプレイカード３００の稼働中に発生する熱を吸収して、該熱を前記複数の放熱フィンに伝達する。次いで、前記放熱フィンは、吸収した熱を空気中に放熱する。本実施形態において、前記ヒートシンク４１０は一体に形成され、且つ複数のネジ６００によって、前記ハウジング１００に固定される。前記ヒートシンク４１０は、さらに、前記複数のネジ６００とそれぞれ螺合して、前記ネジ６００が前記ヒートシンク４１０から脱落するのを防止する固定部材４１６を備える。本実施形態において、前記固定部材４１６は弾性のゴムリングである。前記複数のネジ６００は前記固定部材４１６によって、前記ヒートシンク４１０に固定される。本実施形態の前記複数のネジ６００は、前記ヒートシンク４１０が前記ハウジング１００に装着される前に、既に前記ヒートシンク４１０に固定されているため、前記放熱装置４００の組み立て過程において、前記複数のネジ６００を前記ヒートシンク４１０に装着するステップを省略することができる。
【００１０】
図２を参照すると、前記ファンユニット４１２は、前記複数の放熱フィンの付近に設置され、且つ空気流を生成して、前記放熱フィンの熱を素早く放熱させる。前記ファンユニット４１２は、前記ハウジング１００に連結されるケース４１８と、前記ケース４１８内に装着されている羽根車４２０と、電線４２２と、前記電線４２２の一端に設置されている電気コネクタ４２４及び前記電気コネクタ４２４を設置するために用いられ、且つ前記電源コネクタ５００と係合する係合部材４２６と、を備える。図３を参照すると、前記ケース４１８は、弧形を呈するケース壁４２８を有する。電気コネクタ４２４が前記ハウジング１００に設置されている前記電源コネクタ５００と接続することによって、前記電子装置１０の電気供給ユニットは前記電線４２２を介して、前記ファンユニット４１２に電気を供給する。また、前記係合部材４２６は、前記ケース壁４２８から延伸し、且つ前記ハウジング１００の前記電源コネクタ５００の位置に対応する。
【００１１】
図４を参照すると、前記係合部材４２６は、前記ファンユニット４１２の前記ケース壁４２８から延伸する本体４３０及び該本体４３０から延伸する鈎部４３１を備える。前記本体４３０は、薄片の略直方体であり、且つ前記電源コネクタ５００に対向する第一側面４３２及び該第一側面４３２と相対する第二側面４３４を有する。前記本体４３０には、収容部４３６及び２つの凹部４３８が設けられている。本実施形態において、前記凹部４３８の数量は２つであるが、他の実施形態においては３つ又は４つ以上でもよい。前記収容部４３６は、前記電気コネクタ４２４を収容することに用いられ、前記凹部４３８は、前記電気コネクタ４２４の２つの弾性部４２５と係合されて、前記電気コネクタ４２４が離脱することを規制するために用いられる。前記収容部４３６は、前記第一側面４３２から第二側面４３４に向けて窪んで形成され、且つ概ね前記第一側面４３２に垂直な２つの側壁４４２と、前記２つの側壁４４２とそれぞれ連結し且つ概ね前記第一側面４３２に平行な底壁４４０と、を備える。図５を併せて参照すると、各々の前記凹部４３８は、前記第二側面４３４から前記第一側面４３２へ且つ対向する２つの前記側壁４４２からそれぞれ離れる方向へ窪んで形成され、前記側壁４４２の長手方向中央部に位置している。なお、各々の前記凹部４３８は、前記第二側面４３４において外部に開口している。各々の前記凹部４３８は、前記第一側面４３２に平行であり且つ対応する弾性部４２５と当接する当接壁４４４を備える。また、前記係合部材４２６には、さらに、前記電気コネクタ４２４及び前記電源線４２が貫通する貫通孔４４６が設けられている。本実施形態において、前記貫通孔４４６は「十」字形を呈し、且つ前記収容部４３６を部分的に貫通し、また、前記２つの凹部４３８と連通されている。前記鈎部４３１は、前記本体４３０の側縁から延伸し、且つ前記ケース４１８との間に、間隔をあけて収容空間を形成する。前記電線４２２は、前記鈎部４３１に掛けられて、前記収容空間を貫挿する。
【００１２】
前記ファンユニット４１２を前記ハウジング１００に組み立てる際、前記電線４２２に接続されている前記電気コネクタ４２４を、前記第二側面４３４から前記第一側面４３２に向けて、前記係合部材４２６の前記貫通孔４４６に貫通させて、前記第一側面４３２の下方に位置させた後、前記電気コネクタ４２４を９０度回転させて、前記電気コネクタ４２４を前記収容部４３６に対応させる。次いで、該電気コネクタ４２４を前記第一側面４３２側から前記第二側面４３４側へ移動させて、前記収容部４３６の前記底壁４４０に当接させて、前記電気コネクタ４２４を前記収容部４３６に収容させる。この時、前記電気コネクタ４２４の本体部は前記収容部４３６の前記底壁４４０に当接される。これにより、前記電気コネクタ４２４が前記第一側面４３２側から前記第二側面４３４側へ前記係合部材４２６から脱離するのを防止する。同時に、前記２つの弾性部４２５は、前記収容部４３６の前記側壁４４２の押圧によって弾性変形されて、前記凹部４３８にそれぞれ進入した後、前記凹部４３８内において、弾性復帰し、且つ前記凹部４３８の前記当接壁４４４と当接されて、前記電気コネクタ４２４が前記第二側面４３４側から前記第一側面４３２の方向へ前記係合部材４２６から脱離するのを防止する。
【００１３】
前記電気コネクタ４２４を前記係合部材４２６に係合した後、前記ファンユニット４１２を前記ハウジング１００に装着する。前記係合部材４２６の前記収容部４３６と前記電源コネクタ５００とは、既に位置合わせされているため、前記電気コネクタ４２４も前記電源コネクタ５００と位置合わせされることができる。これにより、従来のように前記電気コネクタ４２４と前記電源コネクタ５００とを入念に位置合わせせずとも、前記電気コネクタ４２４を押圧するだけで、前記電気コネクタ４２４を前記電源コネクタ５００に接続させることができ、放熱装置の組み立て効率が大幅に向上される。また、前記係合部材４２６の前記鈎部４３１と前記ファンユニット４１２の前記ケース４１８との間に収容空間を形成し、前記電線４２２を該収容空間に収容させるので、前記ファンユニット４１２が占有する面積も小さくなる。
【００１４】
前記ヒートシンク４１０を前記ハウジング１００に装着する過程において、前記ヒートシンク４１０には、既に前記複数のネジ６００が備え付けられているため、前記ヒートシンク４１０を位置決めした後、自動設備によって前記複数のネジ６００を前記ハウジング１００に設けられているネジ孔（図示せず）にそれぞれ螺合させる。従って、手動で前記複数のネジ６００を前記ヒートシンク４１０のネジ孔及び前記ハウジング１００のネジ孔にそれぞれ螺合させる必要はない。
【００１５】
本発明において、前記電気コネクタ４２４を係合する前記係合部材４２６を設置することによって、前記電気コネクタ４２４は、前記放熱装置４００が前記ハウジング１００に装着されると、前記電源コネクタ５００と位置合わせされる。これにより、該電気コネクタ４２４は前記電源コネクタ５００に容易に接続することができるので、電子装置の組み立て効率は向上される。また、本発明における前記ヒートシンク４１０は一体に形成され、且つ複数の前記固定部材４１６によって前記複数のネジ６００が前記ヒートシンク４１０に固定されるので、前記ヒートシンク４１０を装着する際、前記ヒートシンク４１０を前記ハウジング１００に位置決めして、前記複数のネジ６００と前記ハウジング１００に設けられている複数のネジ孔との位置合わせ後、自動設備によって前記複数のネジ６００と前記ネジ孔とを螺合させるだけで良い。従って、組み立てが早く、且つ容易である。
【００１６】
以上、本発明の好適な実施形態について詳細に説明したが、本発明は前記実施形態に限定されるものではなく、本発明の範囲内で種々の変形又は修正が可能であり、該変形又は修正もまた本発明の特許請求の範囲内に含まれるものであることは、言うまでもない。
【符号の説明】
【００１７】
１０  電子装置
１００  ハウジング
２００  中央処理装置
３００  ディスプレイカード
４００  放熱装置
４１０  ヒートシンク
４１２  ファンユニット
４１４  ヒートパイプ
４１６  固定部材
４１８  ケース
４２０  羽根車
４２２  電線
４２４  電気コネクタ
４２５  弾性部
４２６  係合部材
４２８  ケース壁
４３０  本体
４３１  鈎部
４３２  第一側面
４３４  第二側面
４３６  収容部
４３８  凹部
４４０  底壁
４４２  側壁
４４４  当接壁
４４６  貫通孔
５００  電源コネクタ
６００  ネジ
【図１】
2013016810.tif 000003
【図２】
2013016810.tif 000004
【図３】
2013016810.tif 000005
【図４】
2013016810.tif 000006
【図５】
2013016810.tif 000007